(57)【要約】【課題】本発明は、装置構成の簡略化、小型化が図れ、かつ、経時的要因による不具合発生のおそれもなく信頼性に優れたストロボ装置を提供する。【解決手段】本発明のストロボ装置１は、箱型状の本体部２と、この本体部２の上面に沿う方向で通常発光位置とバウンス発光位置とに回動可能な状態に取り付けた回動支持体３と、この回動支持体３の回動方向と直交する方向で通常発光位置とバウンス発光位置とに回動可能な状態に取り付けた発光ランプ７を搭載した発光筒部６を具備する発光部８とを有し、ホール素子１１を含むバウンス信号出力回路１０と、発光筒部６における本体部２の上面隅部にホール素子１１と間隔を隔て対向する状態に配置した永久磁石１２とを有し、発光筒部６又は回動支持体３、発光筒部６双方の通常発光位置からバウンス発光位置への回動変位を前記永久磁石１２、ホール素子１１間の電磁的作用により非接触で検出し、バウンス信号を出力する非接触検出手段９を設けたものである。【選択図】図１
2008180747.tif 000002
【特許請求の範囲】
【請求項１】
撮影装置に取り付けられる本体部と、
この本体部に対して、通常発光位置とバウンス発光位置とに回動可能な状態に取り付けた発光ランプを搭載した発光部とを有するストロボ装置であって、
前記本体部と発光部とにわたって相対向する分離配置に取り付けられ、前記発光部の通常発光位置からバウンス発光位置への回動変位を電磁的に非接触で検出し、バウンス信号を出力する非接触検出手段を設けたことを特徴とするストロボ装置。
【請求項２】
撮影装置に取り付けられる箱型状の本体部と、
この本体部に対して、本体部上面に沿う方向で通常発光位置とバウンス発光位置とに回動可能な状態に取り付けた回動支持体と、この回動支持体に対して、この回動支持体の回動方向と直交する方向で通常発光位置とバウンス発光位置とに回動可能な状態に取り付けた発光ランプを搭載した発光筒部を具備する発光部とを有するストロボ装置であって、
前記本体部と発光筒部とにわたって相対向する分離配置に取り付けられ、前記発光筒部又は前記回動支持体、発光筒部双方の通常発光位置からバウンス発光位置への回動変位を電磁的に非接触で検出し、バウンス信号を出力する非接触検出手段を設けたことを特徴とするストロボ装置。
【請求項３】
撮影装置に取り付けられる箱型状の本体部と、
この本体部に対して、本体部上面に沿う方向で通常発光位置とバウンス発光位置とに回動可能な状態に取り付けた回動支持体と、この回動支持体に対して、この回動支持体の回動方向と直交する方向で通常発光位置とバウンス発光位置とに回動可能な状態に取り付けた発光ランプを搭載した発光筒部を具備する発光部とを有するストロボ装置であって、
前記本体部の上面隅部領域に配置したホール素子を含むバウンス信号出力回路と、前記発光筒部における前記本体部の上面隅部に臨む領域に前記ホール素子と間隔を隔て対向する状態に配置した永久磁石とを有し、前記発光筒部又は前記回動支持体、発光筒部双方の通常発光位置からバウンス発光位置への回動変位を前記永久磁石、ホール素子間の電磁的作用で非接触で検出し、バウンス信号を出力する非接触検出手段を設けたことを特徴とするストロボ装置。
【発明の詳細な説明】
【技術分野】
【０００１】
本発明は、ストロボ装置に関し、詳しくは、発光部の通常発光位置からバウンス発光位置への変化を検出する機構を非接触の電気的方式とし、装置構成の簡略化及び動作信頼性の向上を図ったストロボ装置に関するものである。
【背景技術】
【０００２】
例えば、デジタルカメラやスチールカメラで被写体を撮影する際に人工光源として用いられるストロボ装置においては、従来からストロボ装置の本体部に対して、発光部を通常発光位置とバウンス発光位置とにわたって左右又は上下に回動させる機構を組み込み、必要に応じて発光部の位置を切り換え通常撮影とバウンス撮影とを選択的に行なうようにしている。
【０００３】
従来におけるストロボ装置においては、発光部の左右又は上下への回動検知機構として、本体部もしくは発光部内に各々金属接点を備えた基板を組み込み、発光部の回動に応じた金属接点の接離を利用して発光部のバウンス検知を行なう構成としたものが多い。
【０００４】
しかし、このような回動検知機構の場合、本体部、発光部に、金属接点を備えた基板や取り付け部品等を組み込む必要があり、そのスペース確保の必要性からストロボ装置自体の大型化を招き、また、機械的な検知方式のため部品劣化、接触不良の発生等の経時的要因による不具合発生のおそれもあった。
【０００５】
特許文献１には、本体部に対して上下方向に回動可能に発光部を配設するとともに、発光部に弧状配置に複数の端子を有する角度検出機構を組み込み、発光部のバウンス照射位置の選択に応じて対応するいずれかの端子をグランド端子に接触することで、発光部のバウンス照射位置を検出するようにしたストロボ装置が提案されている。
【０００６】
しかし、このストロボ装置の場合も、上述した場合と同様、発光部の回動検知機構として機械的な検知方式を採用しており、部品劣化、接触不良の発生等の可能性を包含している。
【特許文献１】特開２００２−０７２３０１号公報
【発明の開示】
【発明が解決しようとする課題】
【０００７】
本発明が解決しようとする問題点は、装置構成の簡略化、小型化が図れ、かつ、経時的要因による不具合発生のおそれもなく信頼性に優れた発光部のバウンス位置検出機能を有するストロボ装置が存在しない点である。
【課題を解決するための手段】
【０００８】
本発明のストロボ装置は、撮影装置に取り付けられる本体部と、この本体部に対して、通常発光位置とバウンス発光位置とに回動可能な状態に取り付けた発光ランプを搭載した発光部とを有するストロボ装置であって、前記本体部と発光部とにわたって相対向する分離配置に取り付けられ、前記発光部の通常発光位置からバウンス発光位置への回動変位を電磁的に非接触で検出し、バウンス信号を出力する非接触検出手段を設けたことを最も主要な特徴とする。
【発明の効果】
【０００９】
請求項１記載の発明によれば、前記本体部に通常発光位置とバウンス発光位置とに回動可能な状態に発光部を取り付けるとともに、本体部と発光部とにわたって相対向する分離配置に非接触検出手段を取り付けて、発光部の通常発光位置からバウンス発光位置への回動変位を非接触検出手段により電磁的に非接触で検出し、バウンス信号を出力するように構成したものであるから、接点を備えた基板等が不要となり、装置構成の簡略化、小型化が図れ、かつ、電磁的検出方式のため経時的要因による不具合発生のおそれもなく信頼性に優れた発光部のバウンス位置検出機能を有するストロボ装置を提供することができる。
【００１０】
請求項２記載の発明によれば、本体部と、回動支持体及び発光ランプを搭載した発光筒部を具備する発光部とを備え、本体部と発光筒部とにわたって相対向する分離配置に非接触検出手段を取り付けて、前記発光筒部又は前記回動支持体、発光筒部双方の通常発光位置からバウンス発光位置への回動変位を非接触検出手段により電磁的に非接触で検出し、バウンス信号を出力するように構成したものであるから、請求項１記載の発明の場合と同様、接点を備えた基板等が不要となり、装置構成の簡略化、小型化が図れ、かつ、電磁的検出方式のため経時的要因による不具合発生のおそれもなく信頼性に優れた発光部のバウンス位置検出機能を有するストロボ装置を提供することができる。
【００１１】
請求項３記載の発明によれば、本体部と、回動支持体及び発光ランプを搭載した発光筒部を具備する発光部とを備え、本体部の上面隅部領域に配置したホール素子を含むバウンス信号出力回路と、前記発光筒部における前記本体部の上面隅部に臨む領域に前記ホール素子と間隔を隔て対向する状態に配置した永久磁石とを有する非接触検出手段を設け、前記発光筒部又は前記回動支持体、発光筒部双方の通常発光位置からバウンス発光位置への回動変位を前記永久磁石、ホール素子間の電磁的作用により非接触で検出し、バウンス信号を出力するように構成したものであるから、請求項２記載の発明の場合と同様、接点を備えた基板等が不要となり、装置構成の簡略化、小型化が図れ、かつ、電磁的検出方式のため経時的要因による不具合発生のおそれもなく信頼性に優れた発光部のバウンス位置検出機能を有するストロボ装置を提供することができる。
【発明を実施するための最良の形態】
【００１２】
本発明は、装置構成の簡略化、小型化が図れ、かつ、経時的要因による不具合発生のおそれもなく信頼性に優れた発光部のバウンス位置検出手段を備えたストロボ装置を提供するという目的を、撮影装置に取り付けられる箱型状の本体部と、この本体部に対して、本体部上面に沿う方向で通常発光位置とバウンス発光位置とに回動可能な状態に取り付けた回動支持体と、この回動支持体に対して、この回動支持体の回動方向と直交する方向で通常発光位置とバウンス発光位置とに回動可能な状態に取り付けた発光ランプを搭載した発光筒部を具備する発光部とを有するストロボ装置であって、前記本体部の上面隅部領域に配置したホール素子を含むバウンス信号出力回路と、前記発光筒部における前記本体部の上面隅部に臨む領域に前記ホール素子と間隔を隔て対向する状態に配置した永久磁石とを有し、前記発光筒部又は前記回動支持体、発光筒部双方の通常発光位置からバウンス発光位置への回動変位を前記永久磁石、ホール素子間の電磁的作用により非接触で検出し、バウンス信号を出力する非接触検出手段を設けた構成により実現した。
【実施例】
【００１３】
以下に、本発明の実施例に係るストロボ装置１について、図１乃至図６を参照して詳細に説明する。
【００１４】
本実施例に係るストロボ装置１は、図１、図２に示すように、略直方体箱型状の本体部２と、この本体部２の上面中央部から図１において上方に立設した第１軸４を介して本体部上面に沿う方向（水平方向）で通常発光位置とバウンス発光位置とに回動可能な状態に取り付けた回動支持体３と、この回動支持体３に図１において紙面と垂直方向に配置した第２軸５を介してこの回動支持体３の回動方向と直交する方向（上下方向）で通常発光位置とバウンス発光位置とに回動可能な状態に取り付けた発光ランプ７を搭載した発光筒部６と、を有する発光部８と、前記本体部２と発光部８とにわたって相対向する分離配置に取り付けられ、前記発光部８の通常発光位置からバウンス発光位置への回動変位を電磁的に非接触で検出し、バウンス信号を出力する非接触検出手段９と、を有している。尚、図１中、２ａは、本体部２の下部に設けた図示しないデジタルカメラ等におけるカメラ本体のシュー等に取り付けられる装着金具である。
【００１５】
本実施例において、通常発光位置とは、発光ランプ７からの光を直接被写体に照射する発光位置を意味し、バウンス発光位置とは、発光ランプ７からの光を一度他の物（天井等）に当ててその反射光を被写体に照射する発光位置を意味する。
【００１６】
前記本体部２、回動支持体３間には、図示しないが、本体部２上において前記回動支持体３を第１軸４の回りを例えば１５度ピッチでクリック感をもって回動させるクリック機構を設けている。また、回動支持体３、発光筒部６間には、発光筒部６を第２軸５の回りを例えば１５度ピッチでクリック感をもって回動させるクリック機構を設けている。
【００１７】
前記非接触検出手段９について、図３、図４を参照して説明する。前記非接触検出手段９は、図３に拡大して示すように、前記本体部２の上面隅部領域内に支持片１３、基板１４を用いて固定配置したホール素子１１を含むバウンス信号出力回路（ホールＩＣ）１０と、前記発光筒部６における前記本体部２の上面隅部に臨む領域に前記ホール素子１１と間隔ｔを隔て対向する状態に配置した永久磁石１２とを有している。
【００１８】
この永久磁石１２は、発光筒部６の通常発光位置において、発光筒部６内に設けた抑え部材１５により前記ホール素子１１と間隔ｔを保つように固定配置している。
【００１９】
図４は、前記非接触検出手段９を構成するバウンス信号出力回路１０の回路構成を示すものであり、前記ホール素子１１に所定の駆動電圧Ｖｃを印加するとともに、このホール素子１１の出力端子をスイッチング動作用のトランジスタＴＲのベースに接続して、前記ホール素子１１に対して垂直方向から前記永久磁石１２による磁界を作用させるように構成している。尚、図４中、ＲはトランジスタＴＲのベースバイアス抵抗である。
【００２０】
次に、本実施例に係るストロボ装置１の動作について、発光部８のバウンス動作を主にし、図５、図６を参照して説明する。
【００２１】
前記ストロボ装置１において、図１に示すように、発光筒部６が通常発光位置に存在し、永久磁石１２の磁力がホール素子１１に作用する状態では、ホール素子１１のホール効果によりこのホール素子１１から前記トランジスタＴＲのベースに所定のベース電流が供給され、トランジスタＴＲはオン状態となっている。
【００２２】
次に、例えば図５に示すように、前記発光筒部６が前記第２軸５の回りを例えば上方向に３０度回動し、永久磁石１２とホール素子１１との間隔が大きくなると、永久磁石１２の磁力がホール素子１１に作用しなくなり、ホール効果が途絶え前記トランジスタＴＲのベースへのベース電流の供給が断たれる。
【００２３】
これにより、トランジスタＴＲはオフ状態に変化し、トランジスタＴＲのコレクタからオフ信号、すなわち、バウンス信号が得られる。前記発光筒部６が前記第２軸５の回りを３０度以上（４５度、６０度等）回動した場合も同様である。
【００２４】
また、図６に示すように、前記回動支持体３、発光筒部６が、第１軸４の回りを例えば左右いずれかの水平方向に３０度回動し、永久磁石１２とホール素子１１との間隔が大きくなると、永久磁石１２の磁力がホール素子１１に作用しなくなり、ホール効果が途絶え前記トランジスタＴＲのベースへのベース電流の供給が断たれる。
【００２５】
この場合も、トランジスタＴＲはオフ状態に変化し、トランジスタＴＲのコレクタからオフ信号、すなわち、バウンス信号が得られる。前記回動支持体３、発光筒部６が、第１軸４の回りを３０度以上（４５度、６０度等）回動した場合も同様である。
【００２６】
このようにして非接触検出手段９により得られたバウンス信号は、例えば、図示しないデジタルカメラ等におけるレンズのズーム位置制御用、ホワイトバランス制御用等として活用される。
【００２７】
尚、前記非接触検出手段９としては、ホール素子１１、永久磁石１２を使用する構成の他、永久磁石と誘導コイルとの組み合わせ等の電磁的な原理を利用した非接触検出手段を採用することができる。
【００２８】
上述したように、本実施例によれば、従来例のような接点を備えた基板等が不要となり、装置構成の簡略化、小型化が図れ、かつ、ホール効果を利用した非接触の電磁的検出方式のため、経時的要因による不具合発生のおそれもなく、信頼性に優れた発光部８のバウンス位置検出機能を有するストロボ装置１を提供することができる。
【産業上の利用可能性】
【００２９】
本発明の非接触検出手段は、上述した場合の他、本体と蓋体とを備えた電子機器、例えば、パソコン、通信系又は音楽系の各種携帯端末等の蓋体開閉検知用として広範に応用可能である。
【図面の簡単な説明】
【００３０】
【図１】本発明の実施例に係るストロボ装置の部分切欠断面図である。
【図２】本実施例に係るストロボ装置の正面図である。
【図３】本実施例に係るストロボ装置の部分拡大説明図である。
【図４】本実施例に係るストロボ装置における非接触検出手段の回路構成図である。
【図５】本実施例に係るストロボ装置の上方向へのバウンス状態を示す部分切欠断面図である。
【図６】本実施例に係るストロボ装置の水平方向へのバウンス状態を示す説明図である。
【符号の説明】
【００３１】
１    ストロボ装置
２    本体部
２ａ  装着金具
３    回動支持体
４    第１軸
５    第２軸
６    発光筒部
７    発光ランプ
８    発光部
９    非接触検出手段
１０    バウンス信号出力回路
１１    ホール素子
１２    永久磁石
１３    支持片
１４    基板
１５    抑え部材
ＴＲ    トランジスタ
Ｒ    抵抗
Ｖｃ    駆動電圧
ｔ    間隔
【図１】
2008180747.tif 000003
【図２】
2008180747.tif 000004
【図３】
2008180747.tif 000005
【図４】
2008180747.tif 000006
【図５】
2008180747.tif 000007
【図６】
2008180747.tif 000008